(57)【要約】【課題】、補助扉を所定量開放した状態で保持することができる扉における補助扉を提供すること。【解決手段】キャビネット１の正面側を開閉し、正面側から背面側にかけて貫通する開口部４を備える扉２と、開口部４に対して上動または下動することで開口部４の少なくとも一部を開閉する補助扉３と、を備える扉２における補助扉３であって、補助扉３を吊持する吊持手段１０と、吊持手段１０に吊持され、吊持手段９にかかる補助扉３の荷重と均衡し向きが反対方向の力が作用する錘体１１と、を備え、吊持手段９，１０は、扉２の背面に取り付けられている。【選択図】図４
2010227383.tif 000002
【特許請求の範囲】
【請求項１】
キャビネットの正面側を開閉し、正面側から背面側にかけて貫通する開口部を備える扉と、前記開口部に対して上動または下動することで該開口部の少なくとも一部を開閉する補助扉と、を備える扉における補助扉であって、
前記補助扉を吊持する吊持手段と、該吊持手段に吊持され、該吊持手段にかかる前記補助扉の荷重と均衡し向きが反対方向の力が作用する錘体と、を備え、
前記吊持手段は、前記扉の背面に取り付けられていることを特徴とする扉における補助扉。
【請求項２】
前記吊持手段は定滑車と、一端を前記錘体に接続され、他端を前記補助扉に接続される紐体と、を備え、前記補助扉と前記錘体とで、前記開口部が全開及び全閉されるように前記定滑車を介して前記紐体で吊持されていることを特徴とする請求項１に記載の扉における補助扉。
【請求項３】
前記吊持手段は定滑車と、動滑車と、一端を前記錘体に接続され、他端を前記補助扉に接続される紐体と、を備え、前記補助扉と前記錘体とは、前記定滑車と前記動滑車とを介して前記紐体で吊持されていることを特徴とする請求項１に記載の扉における補助扉。
【請求項４】
前記紐体は前記補助扉を左右両端側で吊持しており、前記扉の左右両端に配置された扉フレームによって被覆されていることを特徴とする請求項２または３に記載の扉における補助扉。
【発明の詳細な説明】
【技術分野】
【０００１】
本発明は、キャビネットの正面側を開閉し、正面側から背面側にかけて貫通する開口部を備える扉と、前記開口部に対して上動または下動することで該開口部を開閉する補助扉と、を備える扉における補助扉に関する。
【背景技術】
【０００２】
従来、開閉扉（扉）としては、スライドさせることによって開閉を行うようにキャビネットに取り付けられており、開閉扉をスライドさせずともキャビネット内に収容されている食器や調味料等を取り出せるように、開閉扉にキャビネットの内部と外部とに連通する開口部を形成するとともに、開閉扉の側方に設けられた縦溝に沿って上下動する補助扉を設けて開口部を開閉可能とすることで使用者の利便性を向上させているものがある。このような開閉扉においては、縦溝内に係止凸部を設け、補助扉が開口部を閉塞する閉位置に配置される際に補助扉が係止凸部を乗り越えることで、係止凸部が補助扉を閉位置で保持するようになっているものがある（例えば、特許文献１参照）。
【先行技術文献】
【特許文献】
【０００３】
【特許文献１】特開２００８−２２８７７６号公報（第６頁、第３図）
【発明の概要】
【発明が解決しようとする課題】
【０００４】
しかしながら、特許文献１にあっては、補助扉を開口部の閉位置で保持し、開口部を全開量開放した位置で保持するものであり、補助扉を所定量開放した状態で保持したいという要望を満足するものではなかった。
【０００５】
本発明は、このような問題点に着目してなされたもので、補助扉を所定量開放した状態で保持することができる扉における補助扉を提供することを目的とする。
【課題を解決するための手段】
【０００６】
前記課題を解決するために、本発明の扉における補助扉は、
キャビネットの正面側を開閉し、正面側から背面側にかけて貫通する開口部を備える扉と、前記開口部に対して上動または下動することで該開口部の少なくとも一部を開閉する補助扉と、を備える扉における補助扉であって、
前記補助扉を吊持する吊持手段と、該吊持手段に吊持され、該吊持手段にかかる前記補助扉の荷重と均衡し向きが反対方向の力が作用する錘体と、を備え、
前記吊持手段は、前記扉の背面に取り付けられていることを特徴としている。
この特徴によれば、補助扉と錘体とは常に吊持手段を介して吊り合っているので、補助扉を開口部を閉塞する位置と開口する位置との間の任意位置で適宜静止させることができるとともに、扉と補助扉と錘体と吊持手段とを一体的にユニットしてコンパクトに纏めることができる。
【０００７】
本発明の扉における補助扉は、
前記吊持手段は定滑車と、一端を前記錘体に接続され、他端を前記補助扉に接続される紐体と、を備え、前記補助扉と前記錘体とで、前記開口部が全開及び全閉されるように前記定滑車を介して前記紐体で吊持されていることを特徴としている。
この特徴によれば、補助扉と錘体とのどちらかを上動または下動させることで、開口部を補助扉と錘体との開閉操作距離を短くして全開または全閉することができる。
【０００８】
本発明の扉における補助扉は、
前記吊持手段は定滑車と、動滑車と、一端を前記錘体に接続され、他端を前記補助扉に接続される紐体と、を備え、前記補助扉と前記錘体とは、前記定滑車と前記動滑車とを介して前記紐体で吊持されていることを特徴としている。
この特徴によれば、補助扉の開口部に対する開閉に伴う上動または下動の移動量に対して、錘体の上動または下動の移動量は少なくなるので、上下幅寸法が短い扉であっても、補助扉を開口部を閉塞する位置と開口する閉位置との間の任意位置で適宜静止させることができる。
【０００９】
本発明の扉における補助扉は、
前記紐体は前記補助扉を左右両端側で吊持しており、前記扉の左右両端に配置された扉フレームによって被覆されていることを特徴としている。
この特徴によれば、使用者が扉を開放した際等に扉の左右端部を把持した場合であっても、補助扉を吊持している紐体は扉フレームによって被覆されることで、使用者が接触することがないので安全であり、補助扉の動作不良等を防止することができる。
【図面の簡単な説明】
【００１０】
【図１】実施例１における扉における補助扉を備えたキャビネット示す斜視図である。
【図２】スライド扉を示す正面図である。
【図３】（ａ）は、図２におけるＡ−Ａ断面図であり、（ｂ）は、図２におけるＢ−Ｂ断面図であり、（ｃ）は、図２におけるＣ−Ｃ断面図である。
【図４】（ａ）は、開口部が閉塞されている状態を示すスライド扉の背面斜視図であり、（ｂ）は、開口部が開放されている状態を示すスライド扉の背面斜視図である。
【図５】実施例２におけるスライド扉を示す背面斜視図である。
【発明を実施するための形態】
【００１１】
本発明に係る扉における補助扉を実施するための形態を実施例に基づいて以下に説明する。
【実施例１】
【００１２】
実施例１に係る扉における補助扉につき、図１から図４を参照して説明する。図１の符号１は、家庭内のキッチン等に配置され、調味料や食器等の収納物を収納するためのキャビネットである。このキャビネット１の正面側には、本発明における扉としての２枚のスライド扉２が設けられている。尚、本実施例ではキャビネット１の正面側をスライド扉２の正面側として説明する。
【００１３】
これらスライド扉２は、キャビネット１の正面側で前後方向の位置が異なる左右方向を向く軸線上に配置されており、キャビネット１に設けられた図示しないスライドレール上を左右方向に摺動することで、キャビネット１の開閉が可能となっている。
【００１４】
そして、本実施例におけるスライド扉２は、上下方向略中央部に補助扉３が設けられており、この補助扉３を上動または下動させることで後述する開口部４を開放し、使用者はスライド扉２を開放せずとも、キャビネット１内の収納物を取り出せるようになっている。
【００１５】
具体的には、スライド扉２は、図２及び図４（ａ）に示すように、上方に配置された上部扉板５と、下方に配置された下部扉板６とを備えており、これら上部扉板５と下部扉板６との背面の左右端部を、上下方向を向く扉フレーム７に扉取付ネジ７０ｂによって螺着されることで構成されている。
【００１６】
また、上部扉板５の下端部と下部扉板６の上端部と両扉フレーム７とで囲まれたスライド扉２の上下方向略中央には、スライド扉２の正面側から背面側にかけて貫通する、正面視方形状の開口部４が形成されている。この開口部４の背面側には、開口部４を閉塞可能な寸法を有する正面視略方形状に形成された補助扉３が配置されている。
【００１７】
この補助扉３の正面の上端部には、使用者が把持するための把手としての把持凹部３ａが形成されており、使用者はこの把持凹部３ａを把持することで補助扉３を上下動させて開口部４の開放及び閉塞を行うようになっている。
【００１８】
一方、図３（ｃ）に示すように、補助扉３の左右側方である扉フレーム７の上下方向略中間部の正面側には、使用者が補助扉３を用いずにスライド扉２を作動させてキャビネット１を開閉するときに、使用者が把持するための把手８が把手取付ネジ７０ｃによって取り付けられている。
【００１９】
また、図２及び図３（ａ）に示すように、両扉フレーム７の上端部には、定滑車９が軸を前後方向に向けて回動自在に軸支されている。図４（ａ）に示すように、上部扉板５の背面の上端部左右には、背面側に向かって吊持片５ａが延設されている。これら吊持片５ａには本発明における紐体としてのワイヤー１０の一端が接続されており、ワイヤー１０は吊持片５ａと後述する動滑車１２と定滑車９との間で掛け渡された後に他端が補助扉３の上端部左右に接続されている。つまり、補助扉３は、ワイヤー１０によって上部扉板５から吊持されている。
【００２０】
更に、上部扉板５の背面側である補助扉３の上方には、補助扉３の質量の２倍の質量を有する錘体１１が配置されている。この錘体１１の上端部左右には、図３（ａ）、図３（ｂ）及び図４（ａ）に示すように、動滑車１２が軸を前後方向に向けて回動自在に軸支されている。そして、錘体１１は、これら動滑車１２を介して吊持片５ａと定滑車９との間のワイヤー１０に吊持されるようになっている。つまり、これらワイヤー１０と定滑車９と動滑車１２とは、本発明における吊持手段を構成している。
【００２１】
尚、図３（ａ）〜図３（ｃ）に示すように、扉フレーム７は上下方向に延びるアルミ管材である。これら扉フレーム７には、錘体１１に取り付けられたスライダー１３を摺動案内するガイド溝７ａと、補助扉３に取り付けられたスライダー１３を摺動案内するガイド溝７ｂと、が形成されており、補助扉３と定滑車９との間のワイヤー１０は、扉フレーム７によって扉２の外方から干渉不可能なように被覆されている。
【００２２】
具体的には、扉フレーム７は、押出成形品であるフレーム基材７０とフレームカバー７１とを備えている。このフレーム基材７０の背面側には係合突起７０ａが形成されており、フレームカバー７１には係合突起７０ａに係合する被係合突起７１ａが形成されている。
【００２３】
そして、これら係合突起７０ａと被係合突起７１ａとを互いに係合させ、フレーム基材７０とフレームカバー７１とをフレームカバー取付ネジ７１ｂで螺着することで扉フレーム７が構成されている。尚、ガイド溝７ａは、これらフレーム基材７０とフレームカバー７１とが螺着されることで形成されるようになっている。
【００２４】
このように、扉フレーム７をフレーム基材７０にフレームカバー７１を着脱可能とする構成にすることによって、扉フレーム７内への補助扉３の端部であるスライダー１３の組込みや、ワイヤー１０と定滑車９との組込み後のメンテナンスを容易としている。
【００２５】
一方、図４（ａ）に示すように、補助扉３と錘体１１との左右側端部には、上下方向に複数のスライダー１３が取り付けられている。そして、前述したように、ガイド溝７ａ内には、図３（ａ）〜図３（ｃ）に示すように、補助扉３の左右側端部及び錘体１１に取り付けられたスライダー１３が上下動自在に配置され、ガイド溝７ｂ内には、補助扉に取り付けたスライダー１３が上下動自在に配置されている。このため、錘体１１と補助扉３とは、上下方向以外の方向への移動が規制されている。
【００２６】
このように錘体１１をワイヤー１０に吊持させることによって、図４（ａ）及び図４（ｂ）に示すように、補助扉３を開口部４を閉塞する閉位置から下動させると、錘体１１は上部扉板５の背面側を上方に向かって移動するようになっている。
【００２７】
このときの錘体１１の上方への移動量は、錘体１１がワイヤー１０に動滑車１２を介して吊持されているため、補助扉３の下方への移動量の半分となっている。更に、錘体１１の荷重は、定滑車９と吊持片５ａとにそれぞれ２分割されてかかるため、定滑車９にかかる補助扉３の荷重は、定滑車９にかかる錘体１１の荷重と等しくなっている。
【００２８】
つまり、補助扉３は、開口部４を閉塞する閉塞位置を上端位置とする上下方向の任意位置で常に錘体１１と吊り合いが取れているため、任意の位置で静止可能となっている。
【００２９】
尚、本実施例では補助扉３の上方に錘体１１を配置し、補助扉３を下動させることで開口部４を開放したが、補助扉３の下方に錘体１１を配置し、補助扉３を上動させることで開口部４を開放するようにしてもよい。
【００３０】
以上、本実施例１のスライド扉２における補助扉３にあっては、キャビネット１の正面側を開閉し、正面側から背面側にかけて貫通する開口部４を備えるスライド扉２と、開口部４に対して上動または下動することで開口部４の少なくとも一部を開閉する補助扉３と、を備えるスライド扉２における補助扉３であって、補助扉３を吊持するワイヤー１０と、ワイヤー１０に吊持され、定滑車９にかかる補助扉３の荷重と均衡し向きが反対方向の力が作用する錘体１１と、を備え、補助扉３と錘体１１とは常に定滑車９とワイヤー１０と動滑車１２とを介して吊り合っているので、補助扉３を開口部４を閉塞する位置と開口する位置との間の任意位置で適宜静止させることができるとともに、スライド扉２と補助扉３と錘体１１と定滑車９とワイヤー１０と動滑車１２とをスライド扉２の背面に一体的にユニット化してコンパクトに纏めることができる。
【００３１】
また、吊持手段は定滑車９と動滑車１２と、一端を錘体１１に接続され、他端を補助扉３に接続されるワイヤー１０と、を備え、補助扉３と錘体１１とは、定滑車９と動滑車１２とを介してワイヤー１０で吊持されているので、補助扉３の開口部４に対する開閉に伴う上動または下動の移動量に対して、錘体１１の上動または下動の移動量は少なくなるので、上下幅寸法が短い扉であっても、補助扉３を開口部４を閉塞する閉位置と開口する位置との間の任意位置で適宜静止させることができる。
【００３２】
また、ワイヤー１０は補助扉３を左右両端側で吊持しており、扉２の左右両端に配置された扉フレーム７によって被覆されているので、使用者が扉２を開放した際等に扉２の左右端部を把持した場合であっても、補助扉３を吊持しているワイヤー１０は扉フレーム７によって被覆されることで、使用者が接触することがないので安全であり、補助扉３の動作不良等を防止することができる。
【実施例２】
【００３３】
次に、実施例２に係る扉における補助扉につき、図５を参照して説明する。尚、前記実施例と同一構成で重複する構成を省略する。
【００３４】
実施例１における補助扉３は、一枚で開口部４を閉塞したが、例えば、図５に示すように、錘体１１を第２の補助扉として開口部４の上部に配置するとともに、ワイヤー１０の一端を錘体１１に直接接続する。一方、補助扉３を開口部４の下部に配置することによって、錘体１１と補助扉３とが定滑車９からワイヤー１０によって吊持されるようにし、錘体１１と補助扉３とによって開口部を閉塞するようにしてもよい。このとき、特に図示しないが、錘体１１の正面下部に把持凹部を形成することによって、使用者は錘体１１を上動させることによって開口部４を開放させることが可能となる。
【００３５】
以上、本実施例２のスライド扉２における補助扉３にあっては、吊持手段は定滑車９と、一端を錘体１１に接続され、他端を補助扉３に接続されるワイヤー１０と、を備え、補助扉３と錘体１１とで、開口部４が全開及び全閉されるように定滑車９を介してワイヤー１０で吊持されているので、補助扉３と錘体１１とのどちらかを上動または下動させることで、開口部４を補助扉３と錘体１１との開閉操作距離を短くして全開または全閉することができる。つまり、本実施例２では、これらワイヤー１０と定滑車９とが吊持手段を構成している。
【００３６】
以上、本発明の実施例を図面により説明してきたが、具体的な構成はこれら実施例に限られるものではなく、本発明の要旨を逸脱しない範囲における変更や追加があっても本発明に含まれる。
【００３７】
例えば、前記実施例では、補助扉３が設けられた扉を、キャビネット１の図示しないスライドレール上を左右方向に摺動することで、キャビネット１の開閉を行うスライド扉２として説明したが、蝶番の揺動によってキャビネット１の開閉を行う開き戸であってもよい。
【００３８】
また、本実施例では、キャビネット１を家庭内のキッチン等に設けられ、調味料や食器等の収納物を収納するためのキャビネットとして説明したが、キャビネット内に収納される収納物は特に限定されない。
【００３９】
また、本実施例では、吊持手段をワイヤー１０と定滑車９と動滑車１２の例と、ワイヤー１０と定滑車９との例と、で説明したが、定滑車９と動滑車１２を増加させることで、補助扉３の下方への移動量に対して錘体１１の上方への移動量を更に少なくしてもよい。
【符号の説明】
【００４０】
１                キャビネット
２                スライド扉（扉）
３                補助扉
４                開口部
５                上部扉板
６                下部扉板
７                扉フレーム
７ａ，７ｂ        ガイド溝
９                定滑車（吊持手段）
１０              ワイヤー（吊持手段，紐体）
１１              錘体
１２              動滑車（吊持手段）
７０              フレーム基材
７０ａ            係合突起
７０ｂ            扉取付ネジ
７０ｃ            把手取付ネジ
７１              フレームカバー
７１ａ            被係合突起
７１ｂ            フレームカバー取付ネジ
【図１】
2010227383.tif 000003
【図２】
2010227383.tif 000004
【図３】
2010227383.tif 000005
【図４】
2010227383.tif 000006
【図５】
2010227383.tif 000007